(57)【要約】【目的】搬送中のディスクを傷付けず、ディスクの搬入、搬出動作を的確に行えるスロットインタイプのディスク駆動装置の提供。【構成】開口部３が形成される筐体１内にターンテーブル８が設けられ、ターンテーブル８と開口部３との間でディスクの搬入、搬出を行うディスク搬送機構１０を備える。搬送機構１０は、開口部３に正対してディスクの搬送方向Ｌ１，Ｌ２に往復直進移動するスライダ１１を有する。スライダ１１には、ディスクＤの外周縁部を摘むリブ１５Ａ，１５Ｂと圧接ローラ１６とから成る挟持手段２２が設けられる。スライダ１１は、ディスクを搬出するときに該ディスクの搬出方向後部側を押し上げてその外周縁部をリブ１５Ａ，１５Ｂと圧接ローラ１６との間に案内する挟持案内部２０を備える。又、挟持案内部２０によりディスクの搬出方向後部側が押し上げられたとき該ディスクが搬出方向Ｌ２に移動するのを規制するストッパ２７を備える。【選択図】図１９
2007012235.tif 000002
【特許請求の範囲】
【請求項１】
ディスクを出し入れするための開口部が形成される筐体内に、前記ディスクを回転させるためのターンテーブルが設けられ、そのターンテーブルと前記開口部との間でディスクの搬入および搬出を行うディスク搬送機構を備えたディスク駆動装置において、
前記ディスク搬送機構は、前記開口部に正対してディスクの搬入方向と搬出方向とに往復直進移動するスライダを有し、
そのスライダにはディスクの外周縁部をその厚さ方向から摘む表面側押圧部と裏面側押圧部とから成る挟持手段が設けられると共に、前記スライダはターンテーブルで支持されたディスクを搬出するときに該ディスクの搬出方向後部側を押し上げてその外周縁部を前記表面側押圧部と裏面側押圧部との間に案内する挟持案内部を備え、
前記ターンテーブルと開口部との間には、前記挟持案内部によりディスクの搬出方向後部側が押し上げられたとき該ディスクの搬出方向前部側の端面に接して該ディスクが搬出方向に移動するのを規制するストッパが設けられることを特徴とするディスク駆動装置。
【発明の詳細な説明】
【技術分野】
【０００１】
本発明は、ＣＤプレーヤやＤＶＤレコーダに代表されるディスク駆動装置に係わり、特にスリット状の開口部（スロット）に挿入されたディスクを所定位置まで搬送するディスク搬送機構を備えたスロットインタイプにして、搬送中のディスクを傷付けず、ディスクの搬入および搬出動作が的確に行われるようにしたディスク駆動装置に関する。
【背景技術】
【０００２】
従来、ＣＤやＤＶＤといったディスクに楽曲情報などを記録したり、その記録情報を再生するディスク駆動装置が一般に良く知られている。係るディスク駆動装置は、ディスクを回転させるターンテーブルやディスクの半径方向に移動するピックアップなどを備えたディスク駆動部を有し、そのターンテーブルによりクランプ盤との間にディスクの中心部をチャッキングしてこれを回転させながら、その半径方向に移動するピックアップによりディスクの記録情報を読み取ったり情報の書き込みを行うことのできる構成とされる。
【０００３】
特に、係るディスク駆動装置として、ディスクを載せるトレイを用いず、スリット状の開口部（スロット）とディスク駆動部を構成するターンテーブルとの間でディスクの搬入および搬出を行うディスク搬送機構を備えたものが知られる。
【０００４】
その種のディスク駆動装置はスロットインタイプと呼ばれるが、係るディスク搬送機構としては、一対の送りローラでディスクを挟みながら搬送するもの、あるいは板状部材と送りローラでディスクを挟んで搬送するものが一般的である。
【０００５】
前者の搬送機構は、ディスクの中心部がターンテーブルに対向する位置まで到達したときに一対の送りローラが開放しながらディスクの中心部がターンテーブルとクランプ盤でチャッキングされるようにしてあるが、これによればディスクと送りローラの間に異物が入り込んだ場合にディスクの盤面に再生不良の原因となる傷が付くという欠点がある。
【０００６】
一方、後者の搬送機構は、送りローラの回転駆動によりディスクを板状部材に摺接させながらその搬送を行う構成とされるが、これも搬送中のディスクの片面全体にローラが押し付けられるのでディスクに再生不良の原因となる傷が付き易いという欠点がある。
【０００７】
そこで、ディスクの搬送方向に平行して一対のスライダを設け、その両スライダによりディスクをその搬送方向に直交する左右両側から挟持して搬送するようにした機構が提案されている（例えば、特許文献１）。
【０００８】
【特許文献１】特開平１１−１８５３３７号公報
【発明の開示】
【発明が解決しようとする課題】
【０００９】
然しながら、特許文献１に開示されるディスク搬送機構では、装置内に搬入したディスクをターンテーブル上に落し込んでそのチャッキングを行うことはできても、ディスクを搬出する場合にはディスクと一対のスライダとの位置合わせを行わないと、一対のスライダによるディスクの挟持を行うことができない。
【００１０】
このため、特許文献１では、ターンテーブル（ディスクテーブル）を含むディスク駆動部（メカデッキ）を昇降させる方式を採用しているので、係る昇降機構の組み込みにより装置が大型化し、しかも装置構造が複雑になるという欠点を有する。
【００１１】
又、一対のスライダをディスクの搬送方向（ローディング方向）に平行してその両側に配置しているので、装置の小型化（小幅化）を図ることが困難となる。
【００１２】
本発明は以上のような事情に鑑みて成されたものであり、その目的はスリット状の開口部に挿入されたディスクを所定位置まで搬送するディスク搬送機構を備えたスロットインタイプにして、搬送中のディスクを傷付けず、しかも簡易構造でありながらディスクの搬入および搬出動作を的確に行うことのできるディスク駆動装置を提供することにある。
【課題を解決するための手段】
【００１３】
本発明は上記目的を達成するため、ディスクを出し入れするための開口部３が形成される筐体１内に、前記ディスクを回転させるためのターンテーブル８が設けられ、そのターンテーブル８と開口部３との間でディスクの搬入および搬出を行うディスク搬送機構１０を備えたディスク駆動装置において、ディスク搬送機構１０は、開口部３に正対してディスクの搬入方向Ｌ１と搬出方向Ｌ２とに往復直進移動するスライダ１１を有し、そのスライダ１１にはディスクの外周縁部をその厚さ方向から摘む表面側押圧部（リブ１５Ａ，１５Ｂ）と裏面側押圧部（圧接ローラ１６）とから成る挟持手段２２が設けられると共に、スライダ１１はターンテーブル８で支持されたディスクを搬出するときに該ディスクの搬出方向後部側を押し上げてその外周縁部を表面側押圧部（リブ１５Ａ，１５Ｂ）と裏面側押圧部（圧接ローラ１６）との間に案内する挟持案内部２０を備え、ターンテーブル８と開口部３との間には、挟持案内部２０によりディスクの搬出方向後部側が押し上げられたとき該ディスクの搬出方向前部側の端面に接して該ディスクが搬出方向Ｌ２に移動するのを規制するストッパ２７が設けられることを特徴とする。
【発明の効果】
【００１４】
本発明のディスク駆動装置によれば、挟持手段によりディスクの外周縁部を摘んで搬送する方式であるから、ディスクの信号記録エリアを傷付けず、しかもディスクを搬出するときに該ディスクの搬出方向後部側を押し上げてその外周縁部を挟持手段に案内する挟持案内部を備えることから、従来装置のようにディスク駆動部を昇降させる機構が要らず、装置の簡略化、小型化を図ることができる。
【００１５】
又、ターンテーブルと開口部との間には挟持案内部によりディスクの搬出方向後部側が押し上げられたとき該ディスクの搬出方向前部側の端面に接して該ディスクが搬出方向に移動するのを規制するストッパが設けられることから、挟持手段によりディスクの外周縁部を確実に摘んでディスクの搬出を的確に行うことができる。
【発明を実施するための最良の形態】
【００１６】
以下、図面に基づいて本発明を詳しく説明する。図１はスロットインタイプのディスク駆動装置の一例を概略的に示した斜視外観図である。図１において、１は装置の外装を成す筐体であり、その前面は図示せぬ操作スイッチ類を配した操作面２とされ、その操作面２にはディスク（本例において、直径１２ｃｍのディスクを符号Ｄで示すが、直径８ｃｍのディスクにも適用する）を出し入れするスリット状の開口部３（スロット）が形成される。尚、開口部３は塵埃の侵入を防止する図示せぬフラップ板により開閉自在とされる。又、図１において、符号ｆ１，ｆ２で示されるハッチング部分と符号ｆ３で示される中心透明部分は、ディスクの主発光部分を表しているが、係る構成については後述する。
【００１７】
次に、図２は筐体内部に設けられるドライブユニット（ディスク駆動部）を示す。このドライブユニット４は、昇降機構により昇降されるものでなく、上記筐体１に対して固定される固定式であり、これは金属などから形成されるシャーシ５に多数の電子部品などを装置して構成され、その上部にはクランプ盤６が昇降可能にして設けられる。シャーシ５は、ベースプレート５Ａと該ベースプレートの上部を覆う天板５Ｂとを備え、その天板５Ｂには上記のクランプ盤６のほか、後述する方形枠状のスライドプレート７が取り付けられる。尚、シャーシ５の前端部５Ｃは図１に示した開口部３に対応して開口され、これによりシャーシ５の内部にディスクＤを引き込み得るようになっている。
【００１８】
図３に示すように、シャーシ５の内部にはディスクＤを回転させるためのターンテーブル８と、ディスクのピット列を検出するためのピックアップ９が設けられる。そして、ターンテーブル８と図２に示したクランプ盤６とによりディスクＤが中心部をチャッキングされた状態で回転されると共に、ピックアップ９が回転中のディスクＤの盤面に沿ってその内周側から外周側（符号Ｅで示される位置）まで半径方向に移動するようになっている。尚、図３では、両移動端でのピックアップ９をそれぞれ実線で示している。
【００１９】
又、ドライブユニット４は、ターンテーブル８と図１に示した開口部３との間でディスクＤの搬入および搬出を行うディスク搬送機構１０を備える。本例において、ディスク搬送機構１０は、図１に示した開口部３に対し外部から人為的に挿入されたディスクＤをドライブユニット４内に向けて搬入（ローディング）すると共に、ドライブユニット４内におけるディスクＤを開口部３からドライブユニット４及び筐体１の外部に向けて搬出（アンローディング）するものであり、これは図１に示した開口部３に正対してディスクの搬送方向（搬入方向Ｌ１および搬出方向Ｌ２）に往復直進移動するスライダ１１を有し、このスライダ１１にディスクＤが同行することにより、ドライブユニット４に対するディスクＤの搬入および搬出が行われる構成とされる。
【００２０】
尚、シャーシ５には、スライダ１１をディスクの搬送方向Ｌ１，Ｌ２に移動させるための搬送駆動部１２と、スライダ１１の移動案内をする左右一対のガイドレール１３とが設けられる。そして、搬送駆動部１２の駆動力が送りネジ１４を通じてスライダ１１に伝達され、これによりスライダ１１がガイドレール１３に沿ってディスクの搬送方向Ｌ１，Ｌ２に往復直進移動するようになっている。因みに、スライダ１１はターンテーブル８よりも搬入方向Ｌ１側で一端側が送りネジ１４、他端側が一方のガイドレール１３で移動案内され、ディスクＤはスライダ１１による搬送時に左右両側がガイドレール１３の部位で水平状に支持（直径８ｃｍの小径ディスクでは不支持）されるようになっている。
【００２１】
ここで、図３はスライダ１１がディスクの搬出方向Ｌ２における終端位置まで移動した状態であり、このときディスクＤは搬出方向前部側を開口部３から外部に露出させた状態で他端側（搬出方向後部側）をスライダ１１により抜き取り可能に支持され、そのディスクＤを抜き取った後には別のディスクを筐体の開口部３に挿入して、これをスライダ１１によりドライブユニット４内に搬入可能とされる。
【００２２】
又、図４はスライダ１１がディスクの搬入方向Ｌ１における終端位置まで移動した状態であり、このときディスクＤはその中心部がターンテーブル８と対応する位置にあって該ターンテーブル８により中心部を支持されるようになっている。
【００２３】
次に、図５はスライダの底面側を示した斜視図である。この図で明らかなように、スライダ１１の底面には、二つ一組にして互いの頂部（図５における上向きの面）がＶ字状の傾斜面を成す二組のリブ１５Ａ，１５Ａ及びリブ１５Ｂ，１５Ｂが形成され、係る二組のリブ１５Ａ，１５Ａとリブ１５Ｂ，１５Ｂとの間には、ゴムなどから形成されるテーパ状の圧接ローラ１６が設けられる。図５及び図６のように、圧接ローラ１６は回転軸１７に固定され、その回転軸１７は支軸１８を回転支点部とするグリップアーム１９に支持される。又、グリップアーム１９には、圧接ローラ１６に近接して後述する挟持案内部２０が形成される。そして、上記圧接ローラ１６と挟持案内部２０とを有するグリップアーム１９は、支軸１８の外周に設けられるバネ２１（捩りコイルバネ）により、圧接ローラ１６の支持側と挟持案内部２０の形成側が、リブ１５Ａ，１５Ｂに向かって付勢される。
【００２４】
ここに、リブ１５Ａ，１５Ｂと圧接ローラ１６は、ディスクの搬出方向後部側で該ディスクの外周縁部の二箇所をその厚さ方向から摘む２つの挟持手段２２，２２を構成する。つまり、２つの挟持手段２２，２２は、図６〜図８に示すように、それぞれ表面側押圧部を成すリブ１５Ａ，１５Ｂと裏面側押圧部を成す圧接ローラ１６とにより構成されるもので、これによるディスクの挟持力は上記バネ２１の弾力により一定に保たれるようになっている。尚、図８において、挟持手段を構成するリブ１５Ａ（及び１５Ｂ）と圧接ローラ１６とが成す夾角θは１０〜３０度に設定されるのであり、これによってリブ１５Ａ，１５Ｂおよび圧接ローラ１６がディスクＤの信号記録エリアに接触せずして該ディスクの外周縁部のみに接触することが可能とされている。
【００２５】
ここで、外周縁部とは、ディスク外周の角部、または、角部とその近傍部である。具体的な例として、リブ１５Ａ，１５Ｂを樹脂材で形成すれば、これが比較的硬いことからこのリブとはディスクの角の稜線が当接する線接触となり、圧接ローラ１６とは、これがゴム等の柔軟性を有する材料で形成されれば、ディスクの角の稜線及びその近傍の面（表面及び端面）を含んだ面接触となる。又、圧接ローラ１６を高硬度材料で形成した場合は、両方ともディスクの角部での線接触となる。いずれにおいても、上記したように、ディスクの信号記録面に接触するものではない。
【００２６】
一方、圧接ローラ１６がディスクに接触する位置は、上述したように２つのリブ１５Ａ，１５Ｂの間であると、それぞれが対向せずしてディスクがリブ側の２点とローラ側の１点支持となり、安定した支持が可能である。特に、圧接ローラ１６を、２つのリブ１５Ａ，１５Ｂ間の中央に位置させることが力のバランスがとれて好ましい。
【００２７】
上述した挟持手段の理解を助けるための図が図９である。この図は、一方のリブと圧接ローラとを便宜的に対向する位置にした例を示している。この図からも夾角θを設けたことにより、リブ１５Ａ（１５Ｂ）及び圧接ローラ１６がディスクＤの外周縁部（角部または角部とその近傍部）に接触していることが理解される。
【００２８】
他方、挟持案内部２０は、ディスクを搬出する際における挟持手段２２によるディスクの支持を補助するためのもので、係る挟持案内部２０にはターンテーブルで支持されたディスクを搬出するときに該ディスクの搬出方向後部側を押し上げてその外周縁部をリブ１５Ａ，１５Ｂと圧接ローラ１６との間に案内するための傾斜面２０Ａが形成される（図１０参照）。
【００２９】
又、図５、図６、及び図１１に示すように、スライダ１１の底面にはディスクの搬出方向に向かってＶ字状に広がる位置調整面２３が形成され、その位置調整面２３によりディスクの位置決めを行えるようにしてある。つまり、挟持手段２２によりディスク（図１１において、Ｄは直径１２ｃｍの大径ディスク、ｄは直径８ｃｍの小径ディスクを示す）の外周縁部を摘んで該ディスクを片持ち状態に支持するとき、ディスクＤ（ディスクｄを含む）の端面を位置調整面２３に接触せしめることにより、ディスクの搬送方向Ｌ１，Ｌ２においてターンテーブルとディスクの中心が合致するようにしてある。尚、位置調整面２３の角度λは９０度が好ましいが、その角度λは必要に応じて変更することができる。
【００３０】
又、図１１において、位置調整面２３は左右のそれぞれが大径ディスクＤと小径ディスクｄに共通の直線状の形態とされるが、これを図１２のような二段の面として大径ディスクＤと小径ディスクｄが別々の面で位置決めされるようにしてもよい。
【００３１】
しかして、上記のようなスライダ１１によれば、図１３のように左右一対の挟持手段２２によりディスクの搬出方向後部側でその外周縁部の二箇所を摘んで該ディスクを水平状に支持しながら、ディスクの搬送方向Ｌ１，Ｌ２に沿って該ディスクの搬入および搬出を行うことができる。
【００３２】
尚、搬送時のディスクＤは、後述するサイドガイドにより搬送方向Ｌ１，Ｌ２に直交する方向の両側縁も支持（上記のように小径ディスクでは不支持）されるが、ディスクの搬入時においてその中心部がターンテーブル上に案内される直前には上記サイドガイドによる支持がなくなる。このため、ディスクはターンテーブルに向かって移動（降下）できるようになる。
【００３３】
すなわち、ディスクの搬入時では、図１３のようにスライダ１１とディスクＤは一体となって搬入方向Ｌ１に移動して行くが、これによってディスクの中心孔ｈがターンテーブル８上に達すると、図１４のようにクランプ盤６が降下してディスクＤの中心部を押す。このとき、挟持手段に２２よりディスクＤの外周縁部は依然として摘まれているが、上記サイドガイドによるディスクＤの支持がなくなるために、図５に示したバネ２１の弾力に抗してディスクＤが図１４のように傾き、その中心孔ｈがターンテーブル８に嵌合して行く。その一方で、スライダ１１はさらに搬入方向Ｌ１に移動するが、この段階ではディスクＤ（小径ディスクを含む）の中心孔ｈがターンテーブル８に引っ掛かっているので、結果として挟持手段２２からディスクＤの外周縁部が抜け、その挟持手段２２に替わって当該ディスクＤがターンテーブル８で中心部を支持され、その状態でクランプ盤６がさらに降下してターンテーブル８との間でディスクの中心部をチャッキング（クランプ）するようになる。
【００３４】
尚、図１５において、２４は上記のサイドガイドであり、このサイドガイド２４はガイドレール１３の内壁面に相対向して形成され、これによりディスクの搬送方向Ｌ１，Ｌ２に直交する方向でディスクＤの両側縁が摺動自在に支持されるようになっている。
【００３５】
特に、図１５および図１６に示すように、サイドガイド２４よりもディスクの搬入方向Ｌ１に延びるガイドレール１３の先端は、ディスクの中心部がターンテーブル８上に到達したときディスクの搬入方向Ｌ１への移動を阻止するように間隔が狭められた障壁２５とされ、これによりディスクの中心孔ｈがターンテーブル８の縁に引っ掛からずともディスクＤを所定位置に停止させてターンテーブル８とクランプ盤６とによるチャッキング動作が適正に行われる構成となっている。
【００３６】
一方、ディスクの搬出時には、クランプ盤６が上昇されつつ、スライダ１１が搬出方向Ｌ２へ移動を開始し、該スライダに設けられる挟持手段２２によりディスクが片持ち状態で支持されるようになる（図１７、図１８参照）。
【００３７】
詳しくは、図１９(ａ)のようにディスクＤがターンテーブル８で支持されている状態において、挟持手段２２はディスクＤより上位にあって該ディスクから離間している（図ではディスクＤと挟持案内部２０が重なっているが、その両者も図面直角方向において離間している）。この状態でスライダ１１が搬出方向Ｌ２への移動を開始すると、これに連動してクランプ盤６の上昇が行われる一方、ディスクの端面に臨んだ挟持案内部２０がその傾斜面２０Ａにより図１９(ｂ)の如くディスクＤの搬出方向後部側を押し上げて該ディスクの外周縁部をリブ１５Ａ，１５Ｂ（表面側押圧部）と圧接ローラ１６（裏面側押圧部）との間に案内するようになる。特に、挟持案内部２０によりディスクの搬出方向後部側が押し上げられると、図１９(ｂ)のようにディスクＤの搬出方向前部側はターンテーブル８による支持位置より下がり、これによってディスクＤの搬出方向前部側の端面が後述するディスクサポータ２６に設けられるストッパ２７に接して該ディスクが搬出方向Ｌ２に移動するのを規制される一方、傾斜したディスクＤに沿って挟持案内部２０を形成するグリップアーム１９が図２０の想像線で示すようバネ２１の弾力に抗して下方揺動し、これによってリブ１５Ａ，１５Ｂと圧接ローラ１６の間隙がディスクの外周縁部を受け入れるように広げられる。尚、このときディスクＤの搬出方向後部側の端面も図１１などに示した位置調整面２３に接し、搬入方向Ｌ１に対するディスクの移動も規制される。
【００３８】
そして、スライダ１１が搬出方向Ｌ２にさらに移動すると、図１９(ｃ)のように開口部３とターンテーブル８との間に設けられるストッパ２７が起立してディスクの搬出方向前部側を押し上げると共に、これによってグリップアーム１９に作用する負荷が軽減されるために、グリップアーム１９が図２０の実線で示すようバネ２１の弾力により上方揺動する。この結果、ディスクＤは図１９(ｃ)のように搬出方向後部側で外周縁部を挟持手段２２により確りと摘まれて水平状に支持される。その後、ディスクＤは、その両側縁をも上記サイドガイド２４により支持され、この状態でスライダ１１により搬出方向後部側を押されながら開口部３に向けて搬出されて行く。尚、ディスクＤの搬送時においては、ストッパ２７を備えるディスクサポータ２６はディスクＤに干渉しないようにしてある。
【００３９】
ここで、上記のディスクサポータ２６について説明を加えると、これは図２１のように細長のプレート２８に上記ストッパ２７を設けるなどして構成される。ストッパ２７は、プレート２８に形成される円柱状の突起（ボス）で、その２つがディスクの搬送方向Ｌ１，Ｌ２に直交する方向に一定の間隔（ディスクＤの直径より小さい間隔）をあけて設けられる構成とされる。
【００４０】
２９はプレート２８の両端に形成される軸部であり、この軸部２９はベースプレート５Ａに形成される図示せぬブラケットにより回動自在に支持されている。又、プレート２８の一端にはローラ形のカム従節３０が設けられる。
【００４１】
そして、係るディスクサポータ２６は、ストッパ２７が起立状態を保つようにターンテーブル８側の縁が図示せぬ弾性部材によりベースプレート５Ａの表面に向けて付勢されており、カム従節３０が加圧されたときにはディスクサポータ２６が上記弾性部材の弾力に抗して軸部２９回りに回動してストッパ２７が開口部３側に傾斜するようになっている。
【００４２】
図２１および図２２において、３１はディスクサポータを作動させるためのレバーであり、このレバー３１はベースプレート５Ａ上でディスクの搬送方向Ｌ１，Ｌ２に摺動自在に設けられる。又、レバー３１はバネ３２により開口部３側に付勢され、付勢方向における一端に上記カム従節３０を加圧するためのカム３３が形成されると共に、その逆側の一端には直角に折れ曲がった受圧部３４が形成される。
【００４３】
そして、スライダ１１が搬入方向Ｌ１における終端位置に差し掛かったとき、レバー３１の受圧部３４がスライダ１１により押圧され、これによりカム３３がカム従節３０を加圧してディスクサポータ２６を上記の如く作動させるようになっている。
【００４４】
要するに、スライダ１１が搬入方向Ｌ１における終端位置に達してディスクをターンテーブル８に引き渡したときには、ディスクサポータ２６が倒伏してディスクの回転駆動を阻害せぬよう該ディスクから完全に離間する。
【００４５】
一方、ターンテーブル８上のディスクを搬出すべくスライダ１１が搬出方向Ｌ２に移動開始した時点では、カム従節３０がカム３３により依然として押圧されることにより、図２３のようにディスクサポータ２６が倒伏状態を保ち、上記挟持手段２２でディスクの搬出方向後部側の外周縁部が適正に摘まれるまでストッパ２７が搬出方向Ｌ２に対するディスクＤの移動を規制するが、スライダ１１は搬出方向Ｌ２に移動し続けるので、ディスクサポータ２６は、カム３３の輪郭に応じて図２４の想像線に示す状態から実線で示す状態に徐々に立ち上がり、その過程でストッパ２７がディスクＤを押し上げるような働きをする。
【００４６】
ここで、ストッパ２７により押し上げられたディスクは、その搬出方向前部側をディスクサポータの上面部２６Ａにより一時的に支持されるが、その上面部２６Ａは図２５のようにＶ字形とされるのであり、このためディスクの信号記録エリアはディスクサポータの上面部２６Ａに接触せず、その上面部２６Ａにはディスクの搬出方向前部側でディスクの外周縁部のみ（図２６に示すハッチング部分）が接触する。
【００４７】
そして、スライダ１１が搬出方向Ｌ２にさらに移動すると、上記挟持手段２２による搬出方向後部側でのディスクの挟持力により、搬出方向前部側ではディスクがディスクサポータの上面部２６Ａから離間され、これに替わってディスクの両側縁が上記サイドガイド２４により支持されるようになる。
【００４８】
尚、図２２のようにレバー３１にはベースプレート５Ａの下方に垂下する突片３５が形成され、その突片３５により、スライダ１１による受圧部３４の押圧と同時にスイッチＳＷ１が押圧され、これによりスライダ１１を搬送方向Ｌ１，Ｌ２に移動させるための搬送駆動部が停止されるようになっている。
【００４９】
又、図２１において、３６は小径のディスクｄに対応するディスクサポータで、これも円柱状の突起から成るストッパ３７、そのストッパを備えるプレート３８、その回転支点部を成す軸部３９、およびカム従節４０などから構成され、上記レバー３１にはカム従節４０に対応してカム４１が形成される。尚、その作用ついてはディスクサポータ２６と同様であるので説明を省略する。
【００５０】
次に、ディスクが発光する構成について説明すると、図５に示すように、スライダ１１には左右一対の光源５０が設けられる。本例において、光源５０は発光ダイオード（ＬＥＤ）、それも赤、緑、青の光の合成により様々な光色を発生することのできるマルチカラーＬＥＤ（チップ型）とされるが、これを赤と緑の二色ＬＤＥや単色ＬＥＤなどとしてもよい。
【００５１】
特に、係る光源５０は、図２７〜図２９のように外周縁部が挟持手段２２により挟持されたディスクＤ（小径のディスクを含む）の搬出方向後部側の端面ｆ０に臨むようになっており、このためディスクＤの搬入および搬出に際して光源５０もディスクＤの搬出方向後部側の端面ｆ０に臨んでディスクＤと共に同方向に直進移動する。
【００５２】
しかして、その光源５０から発せられた光は、図２９のようにディスクＤの搬出方向後部側（搬入方向側）の端面ｆ０からディスクＤの内部に入射し（図２８の矢印方向）、ディスクＤの内周縁と外周縁との間で反射を繰り返すなどしてディスクの搬出方向前部側の端面ｆ１まで導光される。このため、遮光性の保護膜により覆われないディスクの透明部、特にこの外周端面ｆ１と、中心の内周面ｆ２、および中心孔の周辺領域ｆ３（図１も参照）は、移動中にも拘らず高輝度で発光し、搬出完了時においては開口部３から露出されるディスクＤの発光により視認性が向上して暗所においてもその位置が明確となり、優れたイルミネーション効果も発現される。
【００５３】
尚、マルチカラーＬＥＤから成る光源５０にして、光色変換制御を行うことによりディスクの発光色を周期的に変化させてイルミネーション効果をより一層向上させることができる。又、光源５０はディスクの中心孔ｈの直径より稍大きな間隔で２つを隣り合わせに配することが好ましく、これにより光源５０から発せられた光を図２９に示した矢印のようにディスクの搬出方向後部側から搬出方向前部側へ良好に導光することが可能とされるが、係る光源５０は一つでも２つ以上でもよく、更にはＬＥＤのような点光源に代えて蛍光管などを用いることもできる。
【００５４】
次に、図３０及び図３１は、スライダ１１をディスクの搬入方向と搬出方向とに移動させるための搬送駆動部を示す。これらの図で明らかなように、搬送駆動部１２は電気モータから成る駆動源５１、そのロータ軸に固着されるプーリ５２、そのプーリ５２の動力がベルト５３を介して伝達される従動プーリ５４、その従動プーリ５４と同軸上に固着されるウォーム５５、及びこのウォーム５５と噛み合うウォームホイール５６を含み、そのウォームホイール５６が送りネジ１４の一端に固着される構成となっている。尚、駆動源５１のロータ軸にウォーム５５を直結する構成でもよい。
【００５５】
ここで、スライダ１１の一端部には、送りネジ１４と係合するキャリヤ６０が設けられる。図３２および図３３から明らかなように、係るキャリヤ６０は送りネジ１４を貫通せしめるブラケット部６１Ａ，６１Ｂを有するキャリヤ本体６１と、そのキャリヤ本体６１に対して送りネジ１４の軸方向に移動可能とされるリニアガイド６２とを含み、そのリニアガイド６２にラック状のランナプレート６３が設けられる構成となっている。ランナプレート６３には、送りネジの外周に形成される螺旋溝１４Ａに嵌まり込む突起６４が形成され、その突起６４が板バネ６５の作用により螺旋溝１４Ａから容易に離脱せぬようにしてある。又、送りネジ１４の外周には、キャリヤ本体の一方のブラケット部６１Ａとリニアガイド６２との間で圧縮コイルバネ６６が設けられる。
【００５６】
これにより、図１に示した筐体の開口部３からその内部にディスクを挿入すると、その外周縁部の二箇所が図７などに示したスライダの挟持手段２２により挟持されるほか、ユーザによるディスクの押込力により、リニアガイド６２が静止状態のままスライダ１１が圧縮コイルバネ６６の弾力に抗して筐体の奥側に移動し、これにより図示せぬスイッチが操作されて送りネジ１４の回転駆動が開始され、しかしてその回転駆動によりスライダ１１がディスクの外周縁部を摘んだまま該ディスクを連れてその搬入方向に移動する。
【００５７】
一方、図２に示したシャーシの天板５Ｂには、図３４に示すような２つのトリガーレバー７１，７２がディスクの搬送方向Ｌ１，Ｌ２に摺動可能に取り付けられる。又、天板５Ｂに取り付けられる方形枠状のスライドプレート７（図２参照）の裏面には、ディスクの搬送方向Ｌ１，Ｌ２に平行して、二つ一組の突条７３Ａ，７３Ｂが左右に一組ずつ設けられる。更に、図３４から明らかなように、スライダ１１の上面には左右一対の揺動リンク７４が取り付けられる。
【００５８】
７５は揺動リンク７４の回動中心であり、その回動中心７５から隔たる揺動リンク７４の一端にはスライダ１１の内部に垂下する第１ピン７６（図５参照）が突設され、逆側の一端にはトリガーレバー７１やスライドプレート７を押し込むための第２ピン７７が突設される。
【００５９】
そして、図１に示した筐体の開口部３にディスクを挿入したとき、その外周縁部が上記のようにスライダの挟持手段２２により摘まれて支持されるほか、ディスクの端面で第１ピン７６が押圧されることにより、揺動リンク７４が図示せぬバネ力に抗して図３４の矢印方向に回動する。
【００６０】
これにより、第２ピン７７が突条７３Ａ，７３Ｂの間に挿入（大径のディスク挿入時）された状態でスライダ１１がディスクの搬入方向Ｌ１に移動し（図３５参照）、やがて第２ピン７７がトリガーレバー７１に穿設された孔７１Ａの端面に衝突する。
【００６１】
この結果、トリガーレバー７１が図３４に示すバネ７８の弾力に抗してスライダ１１と共にディスクの搬入方向Ｌ１に移動し（図３６参照）、やがてトリガーレバー７１の部位７１Ｂがトリガーレバー７２の部位に衝突するようになる。しかして、トリガーレバー７２もトリガーレバー７１と同方向に移動し、ディスクの中心部がターンテーブルに対応する位置に到達したときには、トリガーレバー７２の部位７２Ａでクランプアーム６Ａの部位が押圧され（図３７参照）、これによりクランプアーム６Ａの一端に取り付けられるクランプ盤６が図示せぬバネ力に抗してターンテーブルに向かって押し下げられ、そのクランプ盤６とターンテーブルによりディスクの中心部がチャッキングされることになる。
【００６２】
尚、スライダ１１がディスクの搬入方向Ｌ１に移動している最中に、ディスクがユーザにより抜き取られると、係るディスクによる第１ピン７６の押圧が無くなるため、揺動リンク７４が図示せぬバネの作用により図３４の矢印とは逆向きの回動を始め、これによって突条７３Ａに所定の間隔で形成した切欠部７９に第２ピン７７が入り込み、その突条７３Ａを有するスライドプレート７をディスクの搬入方向Ｌ１に押し込み、しかしてスライドプレート７により、天板５Ｂに設けたスイッチＳＷ２の押圧操作が行われてディスク搬送機構の搬送駆動部１２が逆転される構成とされる。これにより、ディスクを置き去りにしてスライダ１１のみがディスクの搬入方向Ｌ１に移動する動作が防止されるようになっている。
【００６３】
ここで、上記の動作は主として直径１２ｃｍのディスクの場合であり、直径８ｃｍのディスクの場合には第２ピン７７が突条７３Ｂの内側に案内される。この場合、孔７１Ａの形状によりトリガーレバー７１の動作開始のタイミングが速まるために、直径８ｃｍのディスクもスライダ１１により中心部がターンテーブルと対向する位置まで移動されて適正にチャッキングされることになるが、その詳細な説明については省略する。
【００６４】
ただし、図３４に示すトリガーレバー７１，７２を一まとめにして、図３８に示すような単一のトリガーレバー８１としてもよい（図３４と同一の構成部分には同一符号を付して説明を省略する）。図３８において、トリガーレバー８１は図示せぬバネによりディスクの搬出方向Ｌ２に付勢されており、これには第２ピン７７の通過経路上に図示せぬカムレバーが設けられ、このカムレバーが第２ピン７７で加圧されることにより、所定のタイミングでトリガーレバー８１が作動され、これによりクランプ盤６の昇降動作が行われるようになっている。
【００６５】
尚、図３８に示す例では、ディスクが搬入途中に引き抜かれずとも、スライダ１１が搬入方向の終端位置に達するときに第２ピン７７により突条７３Ａ，７３Ｂの先端が加圧され、これによりスライドプレート７を介してスイッチＳＷ２が押圧操作されるが、このときには図２２に示したスイッチＳＷ１がスライダ１１により押圧操作されるので、搬送駆動部は逆転せずして停止する。
【００６６】
以上、本発明について説明したが、本発明はＣＤプレーヤ、ＤＶＤレコーダ、又はカーナビゲーション用のＤＶＤプレーヤなど様々なディスク駆動装置に適用できる。又、係るディスク搬送機構はスロットインタイプのディスク駆動装置に限らず、ディスクの搬送が筐体内部のディスク収納部とドライブユニットとの間で行われるオートチェンジャタイプのものにも適用できる。但し、オートチェンジャタイプではディスクの発光を外部から視認できないので、この場合には光源５０を省略して差し支えない。
【００６７】
又、上記例では挟持手段を一対備えたものを説明したが、挟持手段はディスクの搬入方向最先端の外周縁部を摘むものであってもよく、更にはその一つの挟持手段と上記一対の挟持手段とを組み合わせた３つの挟持手段を備えてもよい。
【図面の簡単な説明】
【００６８】
【図１】本発明に係るディスク駆動装置を示す斜視外観図
【図２】同装置の筐体内部に設けられるドライブユニットを示す斜視図
【図３】ドライブユニットの内部を示す斜視図
【図４】ディスクが所定位置まで搬入された状態を示す斜視図
【図５】ディスク搬送機構を構成するスライダの底面側を示す斜視図
【図６】スライダの部分拡大図
【図７】ディスクの外周縁部が挟持手段で摘まれた状態を示す平面概略図
【図８】ディスクの外周縁部が挟持手段で摘まれた状態を示す正面概略図
【図９】図８の状態を便宜的に示した説明図
【図１０】ディスクの外周縁部を摘む挟持手段の構成部品を示す斜視図
【図１１】スライダの底面概略図
【図１２】スライダの他の実施態様を示す底面概略図
【図１３】ディスクの外周縁部が挟持手段で摘まれた状態を示す斜視図
【図１４】ディスクの搬入状態を示す説明図
【図１５】ディスクの搬入状態を示す平面概略図
【図１６】ディスクの搬入状態を示す側面概略図
【図１７】ディスクの外周縁部が挟持手段で摘まれた状態を示す部分拡大図
【図１８】ディスクの外周縁部が挟持手段で摘まれる直前の状態を示す斜視図
【図１９】ディスク搬出時の動作説明図
【図２０】挟持手段の動作説明図
【図２１】ストッパの装置例を示す平面図
【図２２】シャーシの側面概略図
【図２３】ストッパにディスクの端面が接した状態を示す説明図
【図２４】ストッパの動作説明図
【図２５】ストッパを有するディスクサポータの部位を示す正面概略図
【図２６】ディスクサポータの部位でディスクが支持された状態を示す説明図
【図２７】ディスクの端面に光源が臨んだ状態を示す斜視図
【図２８】ディスクの端面に光源が臨んだ状態を部分的に拡大して示した説明図
【図２９】ディスク内における光の進行状態を示す説明図
【図３０】スライダの駆動系を示す斜視図
【図３１】スライダの駆動系を示す斜視図
【図３２】スライダの駆動系を部分的に拡大して示した側面図
【図３３】図３２におけるＸ−Ｘ断面図
【図３４】ドライブユニットに設けられる機構の一部を示す平面図
【図３５】ディスクの搬入前（搬出後）の状態を示す斜視図
【図３６】ディスクが搬入されている途中の状態を示す斜視図
【図３７】搬入されたディスクがチャッキングされた状態を示す斜視図
【図３８】図３４に示した機構の変更例を示す平面図
【符号の説明】
【００６９】
１  筐体
３  開口部
４  ドライブユニット（ディスク駆動部）
６  クランプ盤
８  ターンテーブル
１０  ディスク搬送機構
１１  スライダ
１５Ａ，１５Ｂ  リブ（表面側押圧部）
１６  圧接ローラ（裏面側押圧部）
２０  挟持案内部
２０Ａ  傾斜面
２２  挟持手段
２６  ディスクサポータ
２７  ストッパ
【図１】
2007012235.tif 000003
【図２】
2007012235.tif 000004
【図３】
2007012235.tif 000005
【図４】
2007012235.tif 000006
【図５】
2007012235.tif 000007
【図６】
2007012235.tif 000008
【図７】
2007012235.tif 000009
【図８】
2007012235.tif 000010
【図９】
2007012235.tif 000011
【図１０】
2007012235.tif 000012
【図１１】
2007012235.tif 000013
【図１２】
2007012235.tif 000014
【図１３】
2007012235.tif 000015
【図１４】
2007012235.tif 000016
【図１５】
2007012235.tif 000017
【図１６】
2007012235.tif 000018
【図１７】
2007012235.tif 000019
【図１８】
2007012235.tif 000020
【図１９】
2007012235.tif 000021
【図２０】
2007012235.tif 000022
【図２１】
2007012235.tif 000023
【図２２】
2007012235.tif 000024
【図２３】
2007012235.tif 000025
【図２４】
2007012235.tif 000026
【図２５】
2007012235.tif 000027
【図２６】
2007012235.tif 000028
【図２７】
2007012235.tif 000029
【図２８】
2007012235.tif 000030
【図２９】
2007012235.tif 000031
【図３０】
2007012235.tif 000032
【図３１】
2007012235.tif 000033
【図３２】
2007012235.tif 000034
【図３３】
2007012235.tif 000035
【図３４】
2007012235.tif 000036
【図３５】
2007012235.tif 000037
【図３６】
2007012235.tif 000038
【図３７】
2007012235.tif 000039
【図３８】
2007012235.tif 000040